(57)【要約】      （修正有）【課題】運動器具に幅広く応用される中空ファイバーパイプを提供する。【解決手段】中空ファイバーパイプはファイバーパイプ体１０を備える。ファイバーパイプ体１０は中空で、貫通孔１１を形成し、貫通孔１１の内壁には多数の強化リブ１２を一体成型する。各強化リブ１２内には発泡材料層１３を設置し、貫通孔１１の内壁に多数の強化リブ１２を一体成型する。こうすることで、強度は大幅に増強される。同時に各強化リブ１２内に発泡材料層１３を設置する。こうすることで、発泡材料層１３に圧迫され、ファイバーパイプ体１０はさらに密になり、全体強度がさらに強化できるばかりか、ファイバークロスの使用を節減でき、材料を節約することで、生産コストを引き下げることができ、さらには製品を軽量化できるため、使用者はより優れた打撃感を得ることができる。【選択図】図１
0003188569.tif 000002
【実用新案登録請求の範囲】
【請求項１】
中空ファイバーパイプは、ファイバーパイプ体を備え、
前記ファイバーパイプ体は中空で、貫通孔を形成し、
前記貫通孔の内壁には、多数の強化リブを一体成型し、前記各強化リブ内には、発泡材料層を設置することを特徴とする中空ファイバーパイプ。
【請求項２】
前記強化リブは、多数の第一強化リブと多数の第二強化リブを備え、
各前記第一強化リブは、前記貫通孔の一端において、前記ファイバーパイプ体の中央に向かい軸方向に延伸し、
各前記第二強化リブは、前記貫通孔の反対端において、前記ファイバーパイプ体の中央に向かい軸方向延伸することを特徴とする請求項１に記載の中空ファイバーパイプ。
【請求項３】
前記多数の第一強化リブと前記多数の第二強化リブとは、非正面対応に設置することを特徴とする請求項２に記載の中空ファイバーパイプ。
【請求項４】
前記多数の第一強化リブと前記多数の第二強化リブとは、相互に位置がずれた状態で設置することを特徴とする請求項２に記載の中空ファイバーパイプ。
【請求項５】
各前記第一強化リブの高さ及び各前記第二強化リブの高さは共に、外端から内端へと減小することを特徴とする請求項２に記載の中空ファイバーパイプ。
【考案の詳細な説明】
【技術分野】
【０００１】
本考案は管材の技術領域に関し、特に運動器具の領域に幅広く応用が可能な中空ファイバーパイプに関する。
【背景技術】
【０００２】
中空ファイバーパイプは、ラケットフレーム製造の主要な管材の一つである。この種の管材は、中空管体を備える。中空管体を採用するため、出来上がったラケットフレームは比較的軽量で、使用者は楽に使用でき、プレーの技を充分に発揮することができる。
【０００３】
現在中空ファイバーパイプの壁厚は均一で、特に変化はない。しかし、実際の使用過程で、中空ファイバーパイプで製造するラケットには、以下のようなさまざまな欠陥が存在することが明らかになっている。
【０００４】
震動、衝撃が大きくなり、使用者が快適にラケットを操るにはふさわしくない。全体的に重いため、使用者がフレキシブルにラケットを操るには不便で、使用者は生疲労感を感じ易い。構造強度が不充分であるため、ラケットが湾曲変形して損壊する現象さえ起こり、ラケットの使用寿命に影響を及ぼす。
本考案は、従来の中空ファイバーパイプの上記した欠点に鑑みてなされたものである。
【先行技術文献】
【特許文献】
【０００５】
【特許文献１】なし
【考案の概要】
【考案が解決しようとする課題】
【０００６】
本考案が解決しようとする課題は、重量が重いのに強度が低く、材料を浪費し、しかもコストが高いという従来の技術に存在する欠点を効果的に解決できる中空ファイバーパイプを提供することである。
【課題を解決するための手段】
【０００７】
上記課題を解決するため、本考案は下記の中空ファイバーパイプを提供する。
中空ファイバーパイプは、ファイバーパイプ体を備え、
該ファイバーパイプ体は中空で、貫通孔を形成し、
該貫通孔の内壁には、多数の強化リブを一体成型し、
該各強化リブ内には、発泡材料層を設置し、
好ましくは、該強化リブは、多数の第一強化リブと多数の第二強化リブを備え、該各第一強化リブは、該貫通孔の一端において、該ファイバーパイプ体の中央に向かい軸方向に延伸し、該各第二強化リブは、該貫通孔の反対端において、該ファイバーパイプ体の中央に向かい軸方向に延伸し、
好ましくは、該多数の第一強化リブと該多数の第二強化リブとは、非正面対応に設置し、
好ましくは、該多数の第一強化リブと該多数の第二強化リブとは、相互に位置がずれた状態で設置し、
好ましくは、該各第一強化リブの高さと該各第二強化リブの高さは共に、外端から内端へと減小する。 
【考案の効果】
【０００８】
本考案の中空ファイバーパイプにより、以下の効果を達成することができる。
貫通孔の内壁に多数の強化リブを一体成型することで、本考案の強度は大幅に増強され、同時に、各強化リブ内に発泡材料層を設置することで、発泡材料層に圧迫され、ファイバーパイプ体はさらに密になり、本考案の全体強度をさらに強化できるばかりか、ファイバークロスの使用を節減でき、材料を節約することで、生産コストを引き下げることができ、さらには製品を軽量化できるため、使用者はより優れた打撃感を得ることができる。
【図面の簡単な説明】
【０００９】
【図１】本考案第一実施形態の径方向断面図である。
【図２】本考案第一実施形態の局部分解立体図である。
【図３】本考案第二実施形態の局部分解立体図である。
【図４】本考案第三実施形態の局部分解立体図である。
【図５】本考案第四実施形態の局部分解立体図である。
【考案を実施するための形態】
【００１０】
以下に、図面を参照しながら、本考案を実施するための最良の形態について詳述する。
【００１１】
図１、２に示すように、本考案第一実施形態は、ファイバーパイプ体10を備える。ファイバーパイプ体10は中空で、貫通孔11を形成する。
貫通孔11の内壁には、多数の強化リブ12を一体成型する。各強化リブ12内には、発泡材料層13を設置する。発泡材料層13は、粉末状或いは顆粒状の発泡材料が発泡して固化し形成する。
【００１２】
しかも、本実施例中では、強化リブ12は、多数の第一強化リブ121と多数の第二強化リブ122を備える。各第一強化リブ121は、貫通孔11の一端において、ファイバーパイプ体10の中央に向かい軸方向に延伸する。各第二強化リブ122は、貫通孔11の反対端において、ファイバーパイプ体10の中央に向かい軸方向に延伸する。しかも、多数の第一強化リブ121と多数の第二強化リブ122は相互に正面対応して向かい合う。多数の第一強化リブ121と多数の第二強化リブ122の高さHは、均一で、しかも等しい。
【００１３】
製造時には、表面に凹溝を開設するモールドコアを採用し、モールドコアの表面に、ファイバークロスを巻きつける。同時に、適時に凹溝に対応するファイバークロス表面に、発泡材料を設置する。ファイバークロスを巻き付けた後、モールドコアを金型中に入れ固化させる。固化後は、モールドコアを取り出し、本考案の製造を完成する。
【００１４】
図３に示すように、本考案第二実施形態の構造は、上記の第一実施形態の構造と、基本的には相同であるが、その相異を以下に述べる。本実施中では、多数の第一強化リブ121と多数の第二強化リブ122との間は、正面対応設置ではないため、本考案の構造強度をさらに均一にすることができる。
【００１５】
本実施例の製造過程と上記した第一実施形態の製造過程とは、基本的に相同であるが、その相異を以下に述べる。本実施例中では、２個の対応接続モールドコアを採用する。ファイバークロスの固化後、２個の対応接続のモールドコアをそれぞれ外へと抜き撮れば完成である。
【００１６】
図４に示すように、本考案第三実施形態の構造と上記した第一実施形態の構造とは、基本的に相同であるが、その相異を以下に述べる。本実施中では、多数の第一強化リブ121と多数の第二強化リブ122とは、相互に位置がずれた状態で設置するため、本考案の構造強度をさらに均一にすることができるだけでなく、全体強度をさらに高めることもできる。本実施例の製造過程と上記した第二実施形態の製造過程とは、基本的に相同であるため、ここでは本実施例の製造過程について詳述しない。
【００１７】
図５に示すように、本考案第四実施形態の構造と上記した第一実施形態の構造とは、基本的に相同であるが、その相異を以下に述べる。本実施中では、各第一強化リブ121の高さHと各第二強化リブ122の高さHとは共に、外端から内端へと減少する。これにより、本考案の両端の構造は、より強度が高まり、同時に材料を節減することもできる。本実施例の製造過程と上記した第二実施形態の製造過程とは、基本的に相同であるため、ここでは本実施例の製造過程について詳述しない。
【００１８】
本考案の設計の重点を以下に記載する。貫通孔の内壁に多数の強化リブ12を一体成型することで、本考案の強度は大幅に増強され、同時に各強化リブ内に発泡材料層13を設置することで、発泡材料層に圧迫され、ファイバーパイプ体はさらに密になり、本考案の全体強度をさらに強化できるばかりか、ファイバークロスの使用を節減でき、材料を節約することで、生産コストを引き下げることができ、さらには製品を軽量化できるため、使用者はより優れた打撃感を得ることができる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
10：ファイバーパイプ体
11：貫通孔
12：強化リブ
121：第一強化リブ
122：第二強化リブ
13：発泡材料層
【図１】
0003188569.tif 000003
【図２】
0003188569.tif 000004
【図３】
0003188569.tif 000005
【図４】
0003188569.tif 000006
【図５】
0003188569.tif 000007